(57)【要約】【課題】  評価システムにおいて、評価の信頼性を高めること。与評価者の評価のばらつきや恣意性による評価内容の偏りを解消し、評価内容を補正して評価の公平性を高めること。【解決手段】  評価システムは、評価対象者の評価において、評価と共に評価対象者に関する情報も記録しておき、与評価者が過去に行った評価実績に基づいて、今回及び／又は過去の評価が適切な評価であるかを判定し、必要とする場合には当該評価を補正して適正な評価内容とする。被評価者の評価情報を与評価者と共に記録するデータベース４と、データベースに記録される評価情報を補正する評価補正手段４ｇとにより構成し、評価補正手段は与評価者が付与した与評価数量に基づいて評価情報を補正する。【選択図】  図１
2005157590.tif 000002
【特許請求の範囲】
【請求項１】
被評価者の評価情報を与評価者と共に記録するデータベースと、
前記データベースに記録される評価情報を補正する評価補正手段を有し、
前記評価補正手段は、与評価者が付与した与評価数量に基づき評価情報を補正することを特徴とする評価システム。
【請求項２】
被評価者の評価情報を与評価者と共に記録するデータベースと、前記データベースに記録される評価情報を補正する評価補正手段を有するサーバと、
評価情報を入力する入力手段、無線ＩＤタグとの間の送受信によって当該無線ＩＤタグからタグ識別情報を受信する第１の通信手段、サーバとの間の送受信によって前記タグ識別情報及び評価情報の送信を行う第２の通信手段を有する携帯端末とを備え、
前記サーバは、携帯端末から送られた評価情報をタグ識別情報及び／又は当該タグ識別情報に基づく個人識別情報と関連付けてデータベースに記録し、評価補正手段はデータベースに記録される評価情報を補正することを特徴とする評価システム。
【請求項３】
評価情報は評価値の付与履歴を有し、
前記評価補正手段は、前記付与履歴に基づいて、所定期間内において付与した与評価回数を求め、当該与評価回数と設定評価回数とを比較し、与評価回数が設定評価回数を越える場合に評価情報中の評価値を補正することを特徴とする請求項１又は２に記載の評価システム。
【請求項４】
前記評価補正手段は、データベースに記録される全与評価者又は被評価者毎に与評価回数を求めることを特徴とする請求項３に記載の評価システム。
【請求項５】
評価情報は評価値の付与履歴を有し、
前記評価補正手段は、前記付与履歴に基づいて、所定期間内において付与した評価値と評価回数との積の和から与評価量を求め、当該与評価量と設定評価量とを比較し、与評価量が設定評価値を越える場合に評価情報中の評価値を補正することを特徴とする請求項１又は２に記載の評価システム。
【請求項６】
前記評価補正手段は、データベースに記録される全与評価者又は被評価者毎に与評価量を求めることを特徴とする請求項５に記載の評価システム。
【請求項７】
前記評価補正手段は、与評価者が付した所定期間内の全ての評価値に重み付けを行うことにより補正することを特徴とする請求項１乃至６の何れか一つに記載の評価システム。
【請求項８】
前記評価補正手段は、与評価者が付した最新の評価値に重み付けを行うことにより補正することを特徴とする請求項１乃至６の何れか一つに記載の評価システム。
【請求項９】
前記評価補正手段は、所定期間内において与評価者が特定の被評価者に付した全ての評価値に重み付けを行うことにより補正することを特徴とする請求項１乃至６の何れか一つに記載の評価システム。
【請求項１０】
前記評価補正手段は、与評価者が特定の被評価者に付した最新の評価値に重み付けを行うことにより補正することを特徴とする請求項１乃至６の何れか一つに記載の評価システム。
【請求項１１】
前記重み付けは、評価値に所定係数を乗ずることにより行うことを特徴とする請求項７乃至１０の何れか一つに記載の評価システム。
【請求項１２】
前記重み付けは、評価値から所定値を減ずることにより行うことを特徴とする請求項７乃至１０の何れか一つに記載の評価システム。
【発明の詳細な説明】
【技術分野】
【０００１】
本発明は、社員や所員等の関係者の評価を行うシステムに関する。
【背景技術】
【０００２】
社員、所員、職員、局員、会員、スタッフなど何らかの関係で結びつけられている集りにおいて、その者がその集りに関係する者である否かを確認するために、各人に対して会社であれば社員証や名札等を視認可能な部分に携行させている。
【０００３】
確認者は、社員証や名札等に表記された氏名、顔写真、社員番号等を視認することにより、その所有者が関係者であるかの有無を確認している。
【０００４】
また、従来より社員証、会員証、学生証、運転免許証、パスポートなど、身分を証明するものとしてＩＤカードも知られている。このＩＤカードには、所有者を特定するために、顔写真，ＩＤ番号，住所、氏名、年齢、所属等を含む個人情報が直接印刷される他、内蔵メモリにこれらデータが記録され、必要に応じて読み出すことができる。（例えば、特許文献１，２参照）
【０００５】
また、オフィス等において、管理者等の与評価者は社員等の評価対象者を前記した社員証，名札、あるいはＩＤカード等によって確認し、評価対象者の評価を行う場合がある、このような評価においては、与評価者は評価管理簿に評価を記入したり、端末から管理データベースに評価を記録するといった処理を行っている。
【特許文献１】特開２００３−５８８２９号公報
【特許文献２】特開平９−２７７６１号公報
【発明の開示】
【発明が解決しようとする課題】
【０００６】
評価においては、正しい評価対象者に対して公平な評価が行われることが求められる。しかしながら、評価に際しては与評価者の主観が伴うため、与評価者によって評価にばらつきが生じることになり、場合によっては与評価者が特定の評価対象者に対して恣意的な評価を行うことも考えられる。
【０００７】
与評価者が評価対象者を評価するという評価システムにおいて、評価に大きなばらつきがあったり恣意的な評価がなされる場合には、正当な評価が成されているとは言い難く、評価システムの信頼性にも疑義が生じかねないこととなる。
【０００８】
従来、前記したように、社員証，名札やＩＤカード等によって評価対象者を確認することはなされているが、与評価者によって一旦評価がされると、与評価者による偏りの有無等のチェック等はなされておらず、従来の評価システムでは評価の信頼性について問題がある。
【０００９】
そこで、本発明は、前記した課題を解決して、評価システムにおいて、評価の信頼性を高めることを目的とする。
【００１０】
より詳細には、与評価者の評価のばらつきや恣意性による評価内容の偏りを解消し、評価内容を補正して評価の公平性を高めることを目的とする。
【課題を解決するための手段】
【００１１】
本発明の評価システムは、評価対象者の評価において、評価内容と共に評価対象者に関する情報も記録しておき、与評価者が過去に行った評価実績に基づいて、今回及び／又は過去の評価が適切な評価であるかを判定し、必要とする場合にはこれらの評価を補正して適正な評価内容とする。
【００１２】
本発明の評価システムの第１の形態は、被評価者の評価情報を与評価者と共に記録するデータベースと、データベースに記録される評価情報を補正する評価補正手段とにより構成される。本発明の評価補正手段は、与評価者が付与した与評価数量に基づいて評価情報を補正する。
【００１３】
また、本発明の第２の形態は携帯端末を含む構成であって、サーバと携帯端末とを含む構成である。
【００１４】
第２の形態においてサーバは、被評価者の評価情報を与評価者と共に記録するデータベースと、データベースに記録される評価情報を補正する評価補正手段を備える。また、携帯端末は、評価情報を入力する入力手段と、無線ＩＤタグとの間の送受信によって無線ＩＤタグからタグ識別情報を受信する第１の通信手段と、サーバとの間の送受信によってタグ識別情報及び評価情報の送信を行う第２の通信手段を備える。
【００１５】
サーバは、携帯端末から送られた評価情報をタグ識別情報及び／又はタグ識別情報に基づく個人識別情報と関連付けてデータベースに記録し、評価補正手段はデータベースに記録される評価情報を補正する。
【００１６】
上記各形態において、与評価数量は、与評価者がある評価対象者や特定の評価項目などに対して行った評価の質や数量を表し、例えば所定期間内に付与した評価回数とすることができる。評価補正手段は、例えば過去に行った与評価数量が設定量を超えた場合には、今回の評価情報に係数を乗じたり所定量を減算する等により適正な評価に補正する。
【００１７】
本発明の評価システムの第２の形態では、無線ＩＤタグにタグ識別情報を記録しておき、携帯端末は無線ＩＤタグに記録されるタグ識別情報を取得し、このタグ識別情報により評価対象者を特定し、さらに、携帯端末において評価情報を入力し、タグ識別情報と共に評価情報を記録することによって、与評価者による評価情報の随時記録を行う。
【００１８】
また、データベースに顔写真，ＩＤ番号，住所、氏名、年齢、所属等を含む個人情報をタグ識別情報と関連付けて記録しておき、タグ識別情報を検索キーとしてデータベースから個人情報を取得し関係者か否かの確認を迅速に行うことができる。この個人情報の取得は、無線ＩＤタグからのタグ識別情報の取得により行い当事者により何らの操作も要さないため、当事者に知られることなく行うこともできる。
【００１９】
無線ＩＤタグにはその無線ＩＤタグを識別するタグ識別情報が記録され、そのタグ識別情報は各関係者と対応付けられている。無線ＩＤタグは例えば社員証等の携行品に取り付けられ、各関係者はこの携行品を所持する。
【００２０】
携帯端末の第１通信手段は、評価対象者が保持する無線ＩＤタグに記録されているタグ識別情報を取得し、第２通信手段は取得したタグ識別情報、与評価者識別情報又は端末識別情報と共に与評価者が設定した評価情報をサーバに送る。
【００２１】
サーバは、携帯端末から送られた評価情報をタグ識別情報及び／又はタグ識別情報に基づく個人識別情報、与評価者識別情報及び／又は端末識別情報と関連付けてデータベースに記録する。サーバは、携帯端末から送られたタグ識別情報に基づいてデータベースから関係者情報を読み出して携帯端末に送り、この関係者情報により関係者確認を行うこともできる。
【００２２】
また、携帯端末が備える第２通信手段は、評価情報と共に携帯端末を特定する端末識別情報及び又は与評価者を特定する与評価者識別情報をサーバに送信し、サーバは評価情報を端末識別情報又は与評価者識別情報あるいは両情報と共に記録する。
【００２３】
端末識別情報をその端末識別情報が付された携帯端末の所有者と一対一で対応付けておくことにより、端末識別情報を共通項として評価情報と与評価者とを対応付けすることができる。したがって、サーバは、携帯端末から送られた評価情報と端末識別情報とを記録することにより、評価情報を与評価者とを関連付けて記録することができる。
【００２４】
また、評価識別情報は与評価者と一対一で対応付けられるものであるから、評価識別情報を共通項として評価情報と与評価者とを対応付けすることができる。したがって、サーバは、携帯端末から送られた評価情報と評価識別情報とを記録することにより、評価情報を与評価者とを関連付けて記録することができる。
【００２５】
本発明の評価システムは、評価の補正に先だって補正を行うか否かの判定を行う。この判定は、与評価数回数に基づいて行う他に、与評価回数と評価値との積の和に基づいて行うことができる。
【００２６】
判定の第１の形態は与評価数回数に基づいて行うものであり、評価補正手段は、例えば、評価が付与された履歴に基づいて所定期間内において付与した与評価回数を求め、この与評価回数と設定評価回数とを比較し、与評価回数が設定評価回数を越える場合に評価情報中の評価値を補正する。なお、評価値の付与履歴は評価情報から取得することができる。
【００２７】
また、判定の第２の形態は与評価回数と評価値との積の和に基づいて行うものであり、評価補正手段は、例えば、付与履歴に基づいて所定期間内において付与した評価値と評価回数との積の和を求めて与評価量とし、当該与評価量と設定評価量とを比較し、与評価量が設定評価値を越える場合に評価情報中の評価値を補正する。
【００２８】
上記した評価補正手段は、データベースに記録される全与評価者、あるいは被評価者毎に与評価回数を求めることができる。これにより、全与評価者が付与した評価について補正を行うか否かを判定することができる他、特定の評価対象者に対して付与された評価について補正を行うか否かを判定することができる。
【００２９】
本発明の評価システムの評価補正手段は、前記判定によって補正要と判定された評価の評価値に対して重み付けを行うことによって補正を行う。
【００３０】
この重み付けは、所定期間内において与評価者が付した全ての評価値に対して行う他、与評価者が付した最新の評価値に対して行うことができる。これにより、過去の評価履歴に基づいて、次の評価を補正する他、過去の評価についても補正することができる。
【００３１】
また、本発明の評価補正手段は、与評価者が特定の被評価者に付した評価値に対して重み付けを行うこともできる。これによって、特定与評価者が特定評価者に対して行う評価を補正することができる。
【００３２】
重み付けは、評価値に所定係数を乗ずることにより行う他に、評価値から所定値を減ずることにより行うこともできる。
【発明の効果】
【００３３】
本発明の評価システムによれば、評価システムの評価の信頼性を高めることができる。また、与評価者の評価のばらつきや恣意性による評価内容の偏りを解消し、評価内容を補正して評価の公平性を高めることができる。
【発明を実施するための最良の形態】
【００３４】
以下、本発明の実施の形態について、図を用いて詳細に説明する。  
【００３５】
図１，２を用いて本発明の評価システムの一形態の概略構成を説明する。評価システムは１、携帯端末３において評価情報１３を入力し、評価情報１３と共に与評価者を特定する与評価者識別情報１４をサーバ４に送って記録するものである。また、評価情報１３や与評価者識別情報１４と共に、評価対象者を特定する情報をサーバ４に送って記録することもできる。評価対象者を特定する情報は、評価対象者が携行する無線ＩＤタグのタグ識別情報を用いることができる。
【００３６】
図１（ａ）において、評価システム１は、携帯端末３とサーバ４から構成される。携帯端末３は、携帯端末３で入力した評価情報１３と共に、与評価者を特定する与評価者識別情報１４（あるいは端末識別情報１２）をサーバ４に送る。サーバ４は、携帯端末３から送られた評価情報１３を与評価者識別情報１４（あるいは端末識別情報１２）と対応付けて記録する。
【００３７】
図１（ｂ）において、評価システム１は、無線ＩＤタグ２と携帯端末３とサーバ４とから構成される。携帯端末３は、無線ＩＤタグ２からタグ識別情報１０を取得し、取得したタグ識別情報１０と共に評価情報１３と与評価者を特定する与評価者識別情報１４（あるいは端末識別情報１２）をサーバ４に送る。サーバ４は、携帯端末３から送られた評価情報１３をタグ識別情報１０、及び与評価者識別情報１４（あるいは端末識別情報１２）と対応付けて記録する。
【００３８】
無線ＩＤタグ２は、無線通信によって記録情報の読み出し、あるいは情報の書き込みを行うことができる通信機能を備える電子記録媒体であり、ここでは、各無線ＩＤタグを識別するために各無線ＩＤタグに固有に設定されたタグ識別情報が記録されている。このタグ識別情報は特定の所有者と対応付けられており、タグ識別情報から所有者を特定することができる。
【００３９】
タグ識別情報１０は無線ＩＤタグ２と一対一で定められ、各無線ＩＤタグ２は特定の所有者のみが携行する。これにより、固有の無線ＩＤタグ２を携行する所有者は、無線ＩＤタグ２に記録されたタグ識別情報１０により特定することができる。
【００４０】
したがって、評価対象者に対して付された評価情報１３は、その評価対象者が携行する無線ＩＤタグ２に記録されているタグ識別情報１０と関連付けて記録することによって、その評価対象者に対する評価情報であることを特定することができる。
【００４１】
また、図２は、携帯端末３とサーバ４との間でやり取りする情報として、タグ識別情報１０及び評価情報１３に加えて関係者情報１１を含む構成を示している。関係者情報１１は、与評価者が評価対象者に対して評価を付与する際に、評価対象者を確認するために参照する情報であり、サーバ４に記録されている。
【００４２】
図２において、サーバ４に記録される関係者情報１１は、タグ識別情報１０を検索キーとして抽出されて携帯端末３に送られる。携帯端末３では、この関係者情報１１を表示することによって、評価対象者の個人情報を知ることができる。
【００４３】
ここで、関係者は会社等の組織や集まりを構成する者であり、与評価者はこの関係者を評価対象者として評価を行う。与評価者が評価対象者に付した評価情報１３は、サーバ４においてその評価対象者の固有のタグ識別情報１０、及び与評価者に固有の与評価者識別情報１４あるいは端末識別情報１２と共に記録する。与評価者と携行する携帯端末３とを対応付けることによって、携帯端末３に固有の端末識別情報１２により与評価者を特定することができる。
【００４４】
これにより、評価情報１３を与評価者や評価対象者と関連付けることができる。また、タグ識別情報１０を共通項として関係者情報１１と評価情報１３とを関連付け、タグ識別情報１０から関係者情報１１及び／又は評価情報１３を抽出することができる。
【００４５】
図３は図１に示す概略構成の各部の構成例である。
【００４６】
図３において、無線ＩＤタグ２は、送受信手段２ａ，応答処理手段２ｂ，記録手段２ｃを備える。  
【００４７】
送受信手段２ａは、携帯端末３との間で無線通信を行って、記録手段２ｃに記録するタグ識別情報１０を送信する。なお、送受信手段２ａは、無手順で常にタグ識別情報１０を送信する態様とすることも、あるいは、送信携帯端末３からの送信要求を受けたときにタグ識別情報１０を送信する態様とすることもできる。
【００４８】
応答処理手段２ｂは、携帯端末３からの送信要求に基づいてタグ識別情報１０を送信する場合に要する手段であり、携帯端末３との間で通信を確立するための処理や、通信を確立した後に携帯端末からの送信要求を受けてタグ識別情報１０を記録手段２ｃから読み出す処理、送受信手段２ａを介してタグ識別情報１０を送信する処理等の応答処理を行う。応答処理手段２ｂは、通信確立の処理を行うプログラムを備え、所定のプロトコルに従って携帯端末３との間で通信を行う。
【００４９】
記録手段２ｃは、無線ＩＤタグ２を識別するために無線ＩＤタグに固有に定められたタグ識別情報１０を記録する。記録されたタグ識別情報１０の読み出しは、無線ＩＤタグに設定された所定周期で常時行うことも、あるいは携帯端末からの送信要求に応じて行うこともできる。
【００５０】
携帯端末３は、第１通信手段３Ａ，第２通信手段３Ｂ，記録手段３ｇ，及び入力手段３ｉを備える。
【００５１】
第１通信手段３Ａは無線ＩＤタグ２との間で通信を行ってタグ識別情報１０を取得する手段であり、応答要求手段３ａ，受信手段３ｂ，タグ識別情報抽出手段３ｃを備える。
【００５２】
応答要求手段３ａは、無線ＩＤタグ２との間において通信を確立し、タグ識別情報を要求する手段である。無線ＩＤタグ２との間で行う通信確立は、所定のプロトコルに従って行われ、通信が確立した後に無線ＩＤタグ２に記録されるタグ識別情報の送信を要求する要求信号を送る。なお、無線ＩＤタグ２からタグ識別情報が常時送信されている場合には、この応答要求手段３ａは不要である。
【００５３】
受信手段３ｂは、無線ＩＤタグ２からの送信信号を受信する手段である。タグ識別情報抽出手段３ｃは、受信手段３ｂで受信した信号に中からタグ識別情報１０を抽出する手段である。抽出されたタグ識別情報１０は記録手段３ｇに記録される。記録手段３ｇは、抽出されたタグ識別情報１０を一時的に記録する他、携帯端末３に固有に設定された端末識別情報１２、与評価者と特定する与評価者識別情報１４等が記録されている。また、記録手段３ｇは、入力手段３ｉから入力された評価情報１３をサーバ４に送るまでの間一時的に記録する。
【００５４】
第２通信手段３Ｂは、送信手段３ｄを備える。送信手段３ｄは、サーバ４に送信を行う手段であり、構内ＬＡＮ等の通信網を介してサーバ４に接続を行った後、記録手段３ｇに記録されているタグ識別情報１０、端末識別情報１２及び／又は与評価者識別情報１４、評価情報１３を送信する。
【００５５】
サーバ４は、送受信手段４ａ，識別情報照合手段４ｂ，情報管理手段４ｃ，データベース４ｄ，評価情報書き込み手段４ｆ，評価補正手段４ｇを備える。
【００５６】
送受信手段４ａは、携帯端末３との間で信号を送受信する手段であり、携帯端末３からタグ識別情報１０、端末識別情報１２及び／又は与評価者識別情報１４、評価情報１３を受信する。
【００５７】
識別情報照合手段４ｂは、送受信手段４ａで受信した端末識別情報１２又は与評価者識別情報１４をデータベース４ｄに記録される端末識別情報１２又は与評価者識別情報１４と照合し、通信相手の携帯端末３が登録された携帯端末であるか、あるいは通信相手が登録された与評価者であるかを確認する。
【００５８】
情報管理手段４ｃはデータベース４ｄに対する情報の読み出し及び書き込みを管理する手段であり、識別情報照合手段４ｂからの要求に基づいて端末識別情報１２又は与評価者識別情報１４の読み出しを行い、また、評価情報書き込み手段４ｆからの要求に基づいて与評価者情報の書き込みを行う。
【００５９】
データベース４ｄは、タグ識別情報１０，端末識別情報１２，評価情報１３，与評価者識別情報１４等の情報を記録する手段である。
【００６０】
評価補正手段４ｇは、データベース４ｄに記録される評価情報１３を補正する手段であり、情報管理手段４ｃによりデータベース４ｄから評価情報１３を読み出し、評価情報１３中に格納される与評価数等に基づいて補正の有無を判定し、補正を要する場合には評価情報１３中に格納される評価値に重み付けを行うことによって評価情報の補正を行う。
【００６１】
また、図４は図２に示す概略構成の各部の構成例である。図４に示す構成例は上記した図３の構成例において関係者情報に係わる構成を含み点で相違しているが、その他の構成については共通である。以下、共通する構成については説明を省略し、関係者情報に係わる構成についてのみ説明する。
【００６２】
図４において、携帯端末３は、第１通信手段３Ａ，記録手段３ｇ，入力手段３ｉに加えて表示手段３ｈを備え、第２通信手段３Ｂは、送信手段３ｄに加えて受信手段３ｅ及び関係者情報取得手段３ｆを備える。
【００６３】
受信手段３ｅは、サーバ４からの送信信号を受信する手段であり、構内ＬＡＮ等の通信網を介してサーバ４から送信された関係者情報を受信する。
【００６４】
関係者情報取得手段３ｆは、受信手段３ｅによってサーバ４からの受信信号から関係者情報１１を取り出す。関係者情報取得手段３ｆで取得した関係者情報１１は、記録手段３ｇの一時的に記録される。
【００６５】
表示手段３ｈは、記録手段３ｇから関係者情報１１を読み出して表示画面上に表示する。関係者情報１１に顔写真等の画像情報が含まれる場合には、表示画面上に顔写真が表示され、また、関係者情報１１に文字情報が含まれる場合には、表示画面上に示し氏名、所属等の個人情報が表示される。
【００６６】
サーバ４は、送受信手段４ａ，識別情報照合手段４ｂ，情報管理手段４ｃ，データベース４ｄ，評価情報書き込み手段４ｆに加えて、関係者情報読み出し手段４ｅを備える。
【００６７】
データベース４ｄは、タグ識別情報１０，端末識別情報１２に加えて関係者情報１１を記録している。関係者情報読み出し手段４ｅは、識別情報照合手段４ｂの照合に応じて、タグ識別情報１０を検索キーとしてデータベース４ｄから関係者情報１１を読み出し、送受信手段４ａにより携帯端末３に送信する。
【００６８】
図５は、携帯端末の表示例の一例を示している。図５（ａ）において、携帯端末３が備える表示画面３ｊには、サーバ４から取得した文字情報１１ａや画像情報１１ｂが表示される。なお、画像情報１１ｂは静止画像あるいは動画像を表す情報とすることができる。
【００６９】
また、図５（ｂ）は、評価情報を入力するための評価入力画面の一例である。携帯端末３が備える表示画面３ｊに表示される評価入力画面３ｋには、評価対象者の識別番号等の識別情報１１ｃと、評価項目１１ｄが表示される。この評価入力画面では、評価項目１１ｄの内で与評価者が該当すると考えた評価項目を選択して設定することにより、評価入力を行う。評価項目の選択及び設定は、携帯端末が備えるキーを用いて行うことができる。
【００７０】
図６は、評価入力画面の一例を示している。図６（ａ），（ｂ）の例では、評価対象者の識別情報１１ｃと評価項目１１ｄが表示され、この評価項目１１ｄの中から評価対象を選択する。図６（ｂ）は挨拶の評価項目１１ｅを選択した状態を示している。
【００７１】
また、図６（ｃ），（ｄ）の例では、評価対象者の識別情報１１ｃと評価項目１１ｄが表示され、各評価項目１１ｄには評価段階１１ｆ（ここでは、Ａ，Ｂ，Ｃの評価段階を示している）が設定されている。図６（ｄ）は挨拶の評価項目１１ｅにおいてＡの評価段階１１ｇを選択した状態を示している。
【００７２】
なお、評価段階の選択に代えて評価レベルを表す数値を設定することもできる。この場合には、携帯端末が備える入力キーから数値を入力することにより設定することができる。
【００７３】
図７はタグ識別情報，端末識別情報，関係者情報，評価情報のデータ例の一例を説明するための図である。
【００７４】
図７（ａ）はタグ識別情報の一例を示し、図７（ｂ）は端末識別情報の一例を示し、図７（ｃ）は関係者情報の一例を示し、図７（ｄ）は評価情報の一例を示している。
【００７５】
図７（ａ）はタグ識別情報の一例であり、タグ識別情報は無線ＩＤタグに固有に定められた値を備える。このタグ識別情報は、所定のグループに分類分けすることができ、例えば、データ部分を無線ＩＤタグに個別の部分と、部や課の分類分けの部分に分け、個別の部分にはタグ識別情報に固有のコードを付し、部や課の分類分けの部分には各部や課に対応して設定されたコードを付することもできる。
【００７６】
図７（ｂ）は端末識別情報の一例であり、携帯端末等の端末機器毎に定められた端末識別情報と共にその端末機器の所有者に付された識別番号を記録する他、氏名や所属の情報を記録してもよい。
【００７７】
図７（ｃ）は関係者情報の一例であり、無線ＩＤタグに付されたタグ識別情報と対応付けて、関係者に係わる個人情報を記録する。関係者に係わる個人情報としては、例えば、関係者に固有の設定された識別番号、氏名、所属等の文字情報を記録する他、画像情報として関係者の顔写真等のイメージデータを記録することができる。なお、画像情報は静止画の画像情報に限らず、動画の画像情報とすることもできる。
【００７８】
なお、無線ＩＤタグと携帯端末との間の通信を、Bluetooth（登録商標）の近距離無線通信で行う場合には、タグ識別情報として無線ＩＤタグに設定されたBluetoothアドレスを用いることもできる。  
【００７９】
図７（ｄ）は評価情報の一例であり、タグ識別情報あるいは識別番号と関連付けて評価項目や評価段階（評価値）の情報を記録する。また、評価情報に与評価者の情報を付加し、どの与評価者による評価であるかを識別することができる。
【００８０】
関係者情報読み出し手段４ｅは、タグ識別情報１０に対応する関係者情報１２をデータベース４ｄから読み出す手段であり、送受信手段４ａからのタグ識別情報１０に基づいてデータベース４ｄを検索して関係者情報１２を読み出し、読み出した関係者情報１２を送受信手段４ａを介して携帯端末３に送る。
【００８１】
なお、関係者情報読み出し手段４ｅは、アクセスしてきた携帯端末３が登録された携帯端末であることの確認信号を識別情報照合手段４ｂから受けた後に行うようにしてもよい。
【００８２】
無線ＩＤタグ，携帯端末，サーバ間の処理について、図８の状態図を用いて説明する。なお、図８中の番号は下記の（  ）に付す番号に対応している。また、以下では、携帯端末から無線ＩＤタグに問い合わせを行って通信を確立する場合について示している。
【００８３】
携帯端末３は、無線ＩＤタグ２との間で通信を確立するために応答要求信号を送信する。この際、送信周波数を順に切り替えて行うことで、周囲にある無線ＩＤタグの何れかと通信を確立することができる（１）。
【００８４】
無線ＩＤタグ２は、携帯端末３から送信された応答要求信号の周波数とタグに設定された周波数が一致すると、応答要求信号を受信する（２）。この後、携帯端末３と無線ＩＤタグ２との間で所定のプロトコルに従ってトランザクション処理を行い通信を確立する（３）。
【００８５】
通信が確立した後、携帯端末３は無線ＩＤタグ２に対してタグ識別情報１０を要求する（４）。無線ＩＤタグ２はタグ識別情報１０の要求を受け、携帯端末３にタグ識別情報１０を送信する（５）。携帯端末３は、無線ＩＤタグ２から送信されたタグ識別情報１０を受信し、記録手段に一時的に記録する（６）。
【００８６】
無線ＩＤタグ２を所有する所有者の顔写真や氏名等の個人情報を取得する場合には、携帯端末３は無線ＩＤタグ２から取得したタグ識別情報を基にしてサーバから関係者情報を取得する。
【００８７】
この関係者情報の取得において、携帯端末３はサーバ４に接続を要求し（７）、端末識別情報１２を送信する（８）。サーバ４は端末識別情報１２を受信し（９）、受信した端末識別情報１２を記録手段に予め登録してある端末識別情報と照合することによって確認を行う（１０）。
【００８８】
携帯端末３は、サーバ４による端末識別情報の確認を受けて、評価情報を入力し（１１）、入力した評価情報１３を与評価者識別情報１４及びタグ識別情報１０と共にサーバに送信する（１２）。サーバ３は、評価情報１３、与評価者識別情報１４，タグ識別情報１０を受信し（１３）、記録する（１４）。
【００８９】
また、携帯端末３は、評価対象者について関係者情報を参照して本人を確認した後に評価情報を入力することもできる。
【００９０】
この場合には、携帯端末３は、サーバ４にタグ識別情報１０を送って関係者情報を要求し（２１）、サーバ４のデータベースから読み出した関係者情報を受け取って表示する（２２，２３，２４）。
【００９１】
表示した関係者を参照して評価情報を入力し（２５）、入力した評価情報１３を与評価者識別情報１４及びタグ識別情報１０と共にサーバに送信する（２６）。サーバ３は、評価情報１３を与評価者識別情報１４及びタグ識別情報１０を受信し（２７）、記録する（２８）。
【００９２】
図９は、携帯端末の処理を説明するためのフローチャートである。携帯端末３は、無線ＩＤタグ２からタグ識別情報１０を取得した後（ステップＳ１）、サーバ４との接続を行い（ステップＳ２）、評価対象者について評価情報を入力し（ステップＳ３）、サーバにタグ識別情報１０，与評価者識別情報１４及び／又は端末識別情報１２，評価情報１３を送る（ステップＳ４）。
【００９３】
また、図１０は、携帯端末の他の処理を説明するためのフローチャートであり、サーバから関係者情報を取得した後に評価情報を入力する例である。
【００９４】
携帯端末３は、無線ＩＤタグ２からタグ識別情報１０を取得した後（ステップＳ１１）、サーバ４との接続を行い（ステップＳ１２）、サーバ４にタグ識別情報１０を送って、当該タグ識別情報１０に係わる関係者情報を要求する（ステップＳ１３）。
【００９５】
携帯端末３は、サーバ４から送信された関係者情報１１を受信し（ステップＳ１４）、表示手段に表示する（ステップＳ１５）。
【００９６】
表示された関係者情報１１を参照して、評価対象者について評価情報を入力し（ステップＳ１６）、サーバにタグ識別情報１０，与評価者識別情報１４及び／又は端末識別情報１２，評価情報１３を送る（ステップＳ１７）。
【００９７】
次に、本発明の評価補正手段の構成、及び動作について図１１〜図１６を用いて説明する。
【００９８】
図１１は本発明の評価補正手段の一構成例を示す図である。図１１において、評価補正手段４ｇは、期間管理手段４g1，補正情報抽出手段４g2，与評価情報形成手段４g3，比較判定手段４g4，比較値４g5，重み付け手段４g6，更新手段４g7を備える。
【００９９】
評価情報抽出手段４g2は、データベース４ｄから評価情報１３を抽出して読み出す手段である。評価情報抽出手段４g2は、特定の評価対象者に対して付与された評価情報、特定の与評価者が付与された評価情報、あるいは特定の与評価者が特定の評価対象者に対して付与した評価情報を抽出する他、データベース４ｄに記録される全評価情報を読み出すこともできる。
【０１００】
また、評価情報抽出手段４g2は、所定期間内に評価された評価情報に基づいて補正の有無を判定するために、データベース４ｄに記録される評価情報１３から所定期間内に評価された評価情報を抽出する。期間管理手段４g1はこの所定期間を管理する手段であり、例えば、予め設定された期間毎に評価情報抽出手段４g2に抽出を指令する。この所定期間は、図示しない入力手段を用いて任意に設定することもできる。また、期間管理手段４g1は補正を行う時点についても定めることができる。
【０１０１】
与評価情報形成手段４g3は、評価情報を補正するか否かを判定するための与評価情報を形成する手段である。与評価情報は、与評価者が評価対象者に対して付与した評価の量や、評価の質に係わる情報であり、例えば、付与した評価回数や評価回数に評価値を乗じた値で表すことができる。
【０１０２】
図１２は、評価情報及び与評価情報の一例である。図１２（ａ）は評価情報の一例を示し、与評価者が評価対象者に対して付与した評価項目及び評価値の履歴を備える。なお、ここでは、評価値としてＡ，Ｂ，…を用いているが、数値で評価することもできる。
【０１０３】
図１２（ｂ）は、評価を補正するか否かを判定する指標として用いることができる与評価情報の一例である。この例では、与評価情報として、与評価者が所定期間内で付与した与評価数量、与評価者が各評価対象者に対して評価項目毎に付与した与評価数量、与評価者が各評価対象者に対して付与した合計与評価数量等を示している。
【０１０４】
与評価数量は、付与した評価の回数とする他、評価回数に評価値を乗じた積を所定期間で加算した値を用いることができる。なお、評価値がＡ，Ｂ，…等で非数値である場合には、数値化した値を用いて与評価数量を算出する。
【０１０５】
したがって、所定期間内に付与された評価回数が多い場合や、高い評価値がより多く付与された場合には、与評価数量は大きな値となる。
【０１０６】
比較判定手段４g4は、与評価情報形成手段４g3で形成された与評価数量を用いて、付与された評価に偏りが有るか否か、評価の補正が必要か否かを判定する。
【０１０７】
与評価数量は、前記したように、評価回数が多い場合や高い評価値がより多く付与された場合には大きな値となる。通常、複数の与評価者が評価を行う際、ばらつきはあるものの、どの与評価者もほぼ同程度の評価回数であり、付与する評価値の分布も同程度であると予想される。また、評価対象者においても、付与される評価回数や付与する評価値の分布も同程度であると予想される。
【０１０８】
このような評価予想において、特定の与評価者が付与する評価について与評価数量が予想される標準的な与評価数量よりも大きい場合には、その与評価者の評価にばらつきがあるものと判定する。
【０１０９】
また、特定の評価対象者が特定の評価対象者に付与する評価について与評価数量が予想される標準的な与評価数量よりも大きい場合には、特定の評価対象者が特定の評価対象者に付与する評価にばらつきがあるものと判定する。この判定において、比較の指標となる比較値４g5は予想値や蓄積された評価情報に基づいて予め設定しておく。また、蓄積される評価情報に基づいて再評価して比較値４g5を更新することもできる。
【０１１０】
比較判定手段４g4において評価にばらつきがあると判定された場合には、その評価について補正を行って、評価のばらつきを解消する。評価の補正は重み付け手段４g6によって評価値を修正することで行う。
【０１１１】
重み付け手段４g6は、評価判定手段４g4からの判定結果を受けて、補正すべき評価情報を評価情報抽出手段４g2から取り込み、取り込んだ評価情報の評価値を補正する。重み付けとしては、例えば、評価値に所定の係数を乗じたり、評価値から所定に値を減算することにより行うことができる。補正に用いる係数や減算値は予め設定しておく。
【０１１２】
更新手段４g7は、重み付け手段４g6で補正した補正値を用いてデータベース４ｄの評価情報を更新する。
【０１１３】
図１３は、評価補正手段による補正処理を説明するためのフローチャートである。図１３において、与評価者を選択し（ステップＳ２１）、選択した与評価者が所定期間内に付与して評価値を用いて与評価数量を算出する。与評価数量としては、所定期間内に付与した全評価について算出した期間内与評価数量や、各評価対象者について評価項目毎に算出した与評価数量や、各評価対象者について算出した与評価数量（評価項目毎の与評価数量の合計）等とすることができる（ステップＳ２２）。
【０１１４】
算出した与評価数量と、予め設定しておいた設定数量とを比較し（ステップＳ２３）、与評価数量が設定数量を越えていた場合には、評価値に重み付けを行って補正を行い（ステップＳ２４）、補正して評価値を更新する（ステップＳ２５）。
【０１１５】
図１４は補正された評価情報の一例を示している。図１４では、一例として与評価者Ａ−９２０３が識別番号Ｂ−１２３４に付与した評価項目２に対する評価値Ｃを補正して補正評価値Ｂとして場合を示している。
【０１１６】
なお、この例では、特定日の特定評価項目について評価値を補正しているが、所定期間内の特定評価項目や、所定期間内の全評価項目について評価値を補正することもきる。どの期間のどの評価項目について評価値を補正するか、特定の与評価者が付与する全評価値を補正するかあるいは特定の評価項目について補正するか、特定の与評価者が特定の評価対象者に対して付与する評価値を補正するかといった評価対象の設定は任意に行うことができる。これらの設定条件は、与評価情報形成手段４g3や比較値４g5にあらかじめ設定しておく。また、複数の設定条件から選択するよう構成することもできる。
【０１１７】
図１５は、評価補正手段による別の補正処理を説明するためのフローチャートであり、評価対象者を選択する場合の例である。
【０１１８】
図１５において、評価対象者を選択し（ステップＳ３１）、さらに、この選択した評価対象者に対して評価を行った与評価者の中から与評価者を選択し（ステップＳ３２）、選択した与評価者が所定期間内に付与して評価値を用いて与評価数量を算出する。与評価数量としては、所定期間内に付与した全評価について算出した期間内与評価数量や、評価項目毎に算出した与評価数量や、評価項目毎の与評価数量の合計等とすることができる（ステップＳ３３）。
【０１１９】
算出した与評価数量と、予め設定しておいた設定数量とを比較する。この比較において、設定数量は、評価対象者や与評価者に応じて設定しておくこともできる（ステップＳ３４）。与評価数量が設定数量を越えていた場合には、評価値に重み付けを行って補正を行い（ステップＳ３５）、補正して評価値を更新する（ステップＳ３６）。
【０１２０】
前記ステップＳ３２〜ステップＳ３６の工程を評価補正を行う与評価者に対して繰り返し（ステップＳ３７）、また、前記ステップＳ３１〜ステップＳ３７の工程を評価補正を行う評価対象者に対して繰り返す（ステップＳ３８）。
【０１２１】
図１６は、前記図１５に示すフローチャートによる補正された評価情報の一例を示している。図１６において、評価対象者に対して、与評価者毎に評価項目に対する与評価数量、及び合計の与評価数量を算出し、この与評価数量に基づいて評価を補正するか否かの判定を行う。
【産業上の利用可能性】
【０１２２】
本発明の評価システムは、社員の評価に限らず、所員、職員、局員、会員、スタッフ等を評価する与評価者に適応することができ、与評価者による評価を適正化することができる。
【０１２３】
また、本発明の評価システムは、教習所や試験場において、教官や試験監督者等の与評価者に適用することができ、与評価者による評価を適正化することができる。
【図面の簡単な説明】
【０１２４】
【図１】本発明の評価システムの概略構成を説明するための図である。
【図２】本発明の評価システムの別の概略構成を説明するための図である。
【図３】本発明の評価システムの概略構成の各部の構成例を説明するための図である。
【図４】本発明の評価システムの別の概略構成の各部の構成例を説明するための図である。
【図５】本発明の評価システムの携帯端末の表示例の一例を示す図である。
【図６】本発明の評価システムの携帯端末の評価入力画面の一例を示す図である。
【図７】本発明の評価システムのタグ識別情報，端末識別情報，関係者情報，評価情報のデータ例を説明するための図である。
【図８】本発明の評価システムの無線ＩＤタグ，携帯端末，サーバ間の処理の状態図である。
【図９】本発明の評価システムの携帯端末の処理を説明するためのフローチャートである。
【図１０】本発明の評価システムの携帯端末の他の処理を説明するためのフローチャートである。
【図１１】本発明の評価システムの評価補正手段の一構成例を示す図である。
【図１２】本発明の評価システムの評価情報及び与評価情報の一例を示す図である。
【図１３】本発明の評価システムの評価補正手段による補正処理を説明するためのフローチャートである。
【図１４】本発明の評価システムの補正された評価情報の一例を示す図である。
【図１５】本発明の評価システムの評価補正手段による別の補正処理を説明するためのフローチャートである。
【図１６】本発明の評価システムの与評価情報の一例を示す図である。
【符号の説明】
【０１２５】
１  評価システム
２，２Ａ，２Ｂ，２Ｃ  無線ＩＤタグ
２ａ  送受信手段
２ｂ  応答処理手段
２ｃ  記録手段
３  携帯端末
３Ａ  第１通信手段
３Ｂ  第２通信手段
３ａ  応答要求手段
３ｂ  受信手段
３ｃ  タグ識別情報抽出手段
３ｄ  送信手段
３ｅ  受信手段
３ｆ  関係者情報取得手段
３ｇ  記録手段
３ｈ  表示手段
３ｉ  入力手段
３ｊ  表示画面
４  サーバ
４ａ  送受信手段
４ｂ  端末識別情報照合手段
４ｃ  情報管理手段
４ｄ  データベース
４ｅ  関係者情報読み出し手段
４ｆ  評価情報書き込み手段
４ｇ  評価補正手段
４g1  期間管理手段
４g2  評価情報抽出手段
４g3  与評価情報形成手段
４g4  比較判定手段
４g5  比較値
４g6  重み付け手段
４g7  更新手段
１０  タグ識別情報
１１  関係者情報
１１ａ  文字情報
１１ｂ  画像情報
１１ｃ  識別情報
１１ｄ，１１ｅ  評価項目
１１ｆ，１１ｇ  評価段階
１１ｈ  関係者リスト
１２  端末識別情報
１３  評価情報
１４  与評価者識別情報
【図１】
2005157590.tif 000003
【図２】
2005157590.tif 000004
【図３】
2005157590.tif 000005
【図４】
2005157590.tif 000006
【図５】
2005157590.tif 000007
【図６】
2005157590.tif 000008
【図７】
2005157590.tif 000009
【図８】
2005157590.tif 000010
【図９】
2005157590.tif 000011
【図１０】
2005157590.tif 000012
【図１１】
2005157590.tif 000013
【図１２】
2005157590.tif 000014
【図１３】
2005157590.tif 000015
【図１４】
2005157590.tif 000016
【図１５】
2005157590.tif 000017
【図１６】
2005157590.tif 000018